(57)【要約】【課題】既設住宅であっても間接照明を容易に導入可能な技術を提供することを目的とする。【解決手段】  本発明にかかる廻り縁ユニット１００は、部屋の壁面１０４上部に沿わせられる反射パネル１１０と、反射パネル１１０を介して壁面１０４に平行に配置される前面カバー１２６と、反射パネル１１０と前面カバー１２６との間に配置される光源１３８と、光源１３８に電力を供給する電気配線１３２とを有し、光源１３８より発せられた光を部屋の天井１０６と前面カバー１２６との間、および壁面１０４と前面カバー１２６との間から照射可能であることを特徴とする。【選択図】図１
2011210594.tif 000002
【特許請求の範囲】
【請求項１】
部屋の壁面上部に沿わせられる反射パネルと、
前記反射パネルを介して壁面に平行に配置される前面カバーと、
前記反射パネルと前記前面カバーとの間に配置される光源と、
前記光源に電力を供給する電気配線と、を有し、
前記光源より発せられた光を前記部屋の天井と前記前面カバーとの間、および前記壁面と前記前面カバーとの間から照射可能であることを特徴とする廻り縁ユニット。
【請求項２】
底面を形成する底板をさらに有し、
前記底板には、内部の熱のこもりを軽減する隙間が形成されていることを特徴とする請求項１に記載の廻り縁ユニット。
【請求項３】
前記光源は前記前面カバーの前記反射パネル側に取り付けられていて、
前記前面カバーが前記反射パネルに対し上下方向に摺動可能であることを特徴とする請求項１に記載の廻り縁ユニット。
【請求項４】
部屋の壁面上部に沿わせられる反射パネルと、
前記反射パネルを介して壁面に平行に配置される前面カバーと、
前記反射パネルと前記前面カバーとの間に配置されるソケットと、
前記ソケットに電力を供給可能な電気配線と、を有する廻り縁ユニットを複数含み、
前記廻り縁ユニットはそれぞれ、互いに隣接するように設置され、
少なくとも１つの前記廻り縁ユニットの前記ソケットに光源が備えられ、該光源より発せられた光を前記部屋の天井と前記前面カバーとの間、および前記壁面と前記前面カバーとの間から照射可能であることを特徴とする間接照明システム。
【請求項５】
各々の前記廻り縁ユニットは、前記電気配線が前記前面カバーの背面に固定されていて、隣接する他の廻り縁ユニットと電気的に接続可能な接続部を該電気配線の端部に有することを特徴とする請求項４に記載の間接照明システム。
【発明の詳細な説明】
【技術分野】
【０００１】
本発明は、部屋の壁面上部に備えられる廻り縁ユニット、およびこれを利用した間接照明システムに関する。
【背景技術】
【０００２】
一般の住宅の照明として、天井から電線によって照明器具を吊り下げるペンダントライトや、天井に沿うように照明器具を取り付けるシーリングライト等の直接照明が広く利用されている。かかる直接照明では、光源からの直接光により対象を照らすため、充分な照度を安定的に確保することができる。
【０００３】
一方、近年では、光源からの間接光（反射光）により対象を照らす間接照明が徐々に普及しつつある。間接照明では、陰影を浮き出させ全体を穏やかな光で照らすことができるので、ユーザの趣向に応えることが可能である。
【０００４】
具体的には、例えば特許文献１に、壁面と接する天井面の角隅位置に形成された凹部の内壁面に取り付けられる間接照明器具が開示されている。また、一般には背の高いスタンドや壁面に光源を取り付けて、直接光を遮るフードやシェードを被せた間接照明器具が知られている。
【先行技術文献】
【特許文献】
【０００５】
【特許文献１】特開２００４−３４９１６６号公報
【発明の概要】
【発明が解決しようとする課題】
【０００６】
特許文献１の技術では、壁面と接する天井面の角隅位置に照明器具を収容するための凹部を形成する必要がある。この凹部を設けることは新築住宅では容易だが、一灯照明を前提としている既設住宅では困難を伴う。
【０００７】
また、通常、壁面に備えられる間接照明器具は壁の幅方向中央に配置される。そのため、電気配線を隠すためには壁の中を通さなければならず、工事が大規模になる。これより、従来、既設住宅に対し後付で間接照明を導入（間接照明に変更）することは困難であった。
【０００８】
本発明は、上述した課題に鑑みてなされたものであり、既設住宅であっても間接照明を容易に導入可能な廻り縁ユニット、およびこれを利用した間接照明システムを提供することを目的とする。
【課題を解決するための手段】
【０００９】
上記課題を解決するために本発明にかかる廻り縁ユニットの代表的な構成は、部屋の壁面上部に沿わせられる反射パネルと、反射パネルを介して壁面に平行に配置される前面カバーと、反射パネルと前面カバーとの間に配置される光源と、光源に電力を供給する電気配線とを有し、光源より発せられた光を部屋の天井と前面カバーとの間、および壁面と前面カバーとの間から照射可能であることを特徴とする。
【００１０】
かかる構成によれば、部屋に廻り縁ユニットを取り付けるのみで、容易に間接照明を導入可能となる。廻り縁ユニットが部屋の周囲（壁面）に備えられることから、天井の中央に照明が不要となり、天井の低い住宅においても全体の連続性や広がり感を強調することができる。また、部屋の隅に廻り縁ユニットを配置し、コンセントから廻り縁ユニットまでの電気配線を部屋の隅に沿って上下方向に敷設することで、壁の中を通さずとも目立たなくすることが可能である。
【００１１】
また、光源より発せられた光が天井および壁面に沿って照射されるため、室内を広い範囲にわたって照らすことが可能である。換言すれば、コーブ照明およびコーニス照明の双方の役割を果たすこととなる。これらのことから、既設住宅に後付けするのに簡便であり、かつ天井の低い住宅のリフォームに特に適した間接照明の後付器具とすることができる。
【００１２】
当該廻り縁ユニットの底面を形成する底板をさらに有し、底板には、内部の熱のこもりを軽減する隙間が形成されているとよい。
【００１３】
かかる構成によれば、廻り縁ユニットを下方からユーザが見た場合でも、内部が隠れるようになる。よって、美観の向上を図ることができる。また、底板にスリットや格子等の隙間を形成することで、内部の熱のこもりが軽減される。
【００１４】
上記光源は前面カバーの前記反射パネル側に取り付けられていて、前面カバーが反射パネルに対し上下方向に摺動可能であるとよい。
【００１５】
かかる構成によれば、天井側から室内空間に照射される光量、および壁面側から室内空間に照射される光量を調整することができる。よって、ユーザが室内空間の間接照明を任意に調整することができる。
【００１６】
上記課題を解決するために本発明にかかる間接照明システムの代表的な構成は、部屋の壁面上部に沿わせられる反射パネルと、反射パネルを介して壁面に平行に配置される前面カバーと、反射パネルと前面カバーとの間に配置されるソケットと、ソケットに電力を供給可能な電気配線とを有する廻り縁ユニットを複数含み、廻り縁ユニットはそれぞれ互いに隣接するように設置され、少なくとも１つの廻り縁ユニットのソケットに光源が備えられ、この光源より発せられた光を部屋の天井と前面カバーとの間、および壁面と前面カバーとの間から照射可能であることを特徴とする。
【００１７】
かかる構成では、部屋の壁面上部に沿って廻り縁ユニットを複数備えるため、意匠性の高い室内空間を形成することができる。廻り縁ユニットの全てに光源を取り付ける必要はなく、一部を光源を含まない装飾のためだけの連結ユニットとして機能させてもよい。
【００１８】
各々の廻り縁ユニットは、電気配線が前面カバーの背面に固定されていて、隣接する他の廻り縁ユニットと電気的に接続可能な接続部をこの電気配線の端部に有するとよい。
【００１９】
かかる構成では、あらかじめ個々の廻り縁ユニット内に電気配線が通される。そして、廻り縁ユニットを複数並べた際に互いの接続部を接続すると、複数の廻り縁ユニット内を連通する電気配線が完成する。したがって、後から取り付ける電気配線はコンセントから直近の（直上の）廻り縁ユニットまでのみとなり、廻り縁ユニット内にあらためて電気配線を引き回す必要がないため、施工性を向上させることができる。
【発明の効果】
【００２０】
本発明によれば、既設住宅であっても間接照明を容易に導入可能な廻り縁ユニット、およびこれを利用した間接照明システムを提供することができる。
【図面の簡単な説明】
【００２１】
【図１】本実施形態にかかる廻り縁ユニットの側断面図である。
【図２】図１の廻り縁ユニットを示す図である。
【図３】本実施形態にかかる間接照明システムを示す図である。
【図４】照明ユニットについて説明する図である。
【図５】図２の摺動機構について示す図である。
【図６】摺動機構の他の例について示す図である。
【図７】摺動機構の他の例について示す図である。
【図８】摺動機構の他の例について示す図である。
【図９】摺動機構の他の例について示す図である。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２３】
（廻り縁ユニット）
図１は、本実施形態にかかる廻り縁ユニット１００の側断面図である。図１（ａ）は前面カバー１２６摺動前の状態を示す図であり、図１（ｂ）は前面カバー１２６摺動後の状態を示す図である。また、図２は、図１の廻り縁ユニット１００を示す図である。図２（ａ）は、廻り縁ユニット１００の斜視図であり、図２（ｂ）は廻り縁ユニット１００の分解斜視図である。廻り縁ユニット１００は、反射パネル１１０、前面カバー１２６、照明ユニット１３０および摺動機構１４０ａからなる単一のユニットである。
【００２４】
図１（ａ）および（ｂ）に示すように、反射パネル１１０は、略Ｌ字形状を有し、部屋の壁面１０４上部および天井１０６に固定される。反射パネル１１０は、壁面１０４側の内面および天井１０６側の内面の両方が反射面（鏡面または光沢面）となっている。反射パネル１１０に、梁部材１２２が引っ掛けられる下地材としての役割を持たしてもよい。
【００２５】
図２（ａ）および（ｂ）に示すように、上記梁部材１２２は柱部材１２４ａに連結する。柱部材１２４ａには、摺動機構１４０ａによって前面カバー１２６が摺動可能に支持される。前面カバー１２６は、反射パネル１１０を介して壁面１０４に平行に配置される。反射パネル１１０の下端部からは、天井１０６と平行に底板１２８が延設される。
【００２６】
本実施形態において底板１２８には、内部の熱のこもりを軽減する廃熱スリット１２８ａが形成される。廃熱スリット１２８ａの代わりに、格子等の隙間を形成しても同様の効果を得ることができる。なお、底板１２８は、ユーザの下方からの内部の視認を防止して（内部を隠して）、美観の向上を図る役割を担っている。
【００２７】
照明ユニット１３０は、電気配線１３２を通じて受電した電力を安定器１３４およびソケット１３６を介して蛍光ランプ１３８に印加し、反射パネル１１０に直接光を照射する。
【００２８】
電気配線１３２や安定器１３４、ソケット１３６は、前面カバー１２６の背面（反射パネル１１０側）に固定される。電気配線１３２の端部には、隣接する他の廻り縁ユニットと電気的に接続可能な接続部１３２ａ、１３２ｂが設けられる。
【００２９】
安定器１３４は、蛍光ランプ１３８に印加される電流を制御し、その放電を安定させる。これにより、蛍光ランプ１３８の負特性（一定の電圧を印加し続けると電流が次第に増加すること）により、蛍光ランプ１３８が破損することを回避する。
【００３０】
ソケット１３６は、蛍光ランプ１３８の受け口である。蛍光ランプ１３８は、低圧水銀灯の放電管の内面に蛍光物質が塗布されていて、アーク放電により発生した水銀のスペクトルで波長２５３．７ｎｍの紫外線を可視光線に変換する。
【００３１】
摺動機構１４０ａに関しては、後程図４〜図８と併せて説明する。
【００３２】
（廻り縁ユニットによる間接照明）
図１（ａ）および（ｂ）に示すように、廻り縁ユニット１００では、摺動機構１４０ａにより前面カバー１２６を任意の位置で掛止することができる。そのため、蛍光ランプ１３８より発せられた光を部屋の天井１０６と前面カバー１２６との間（図１中、光Ｃとして図示する）、および壁面１０４と前面カバー１２６との間（図１中、光Ｗとして図示する）から照射可能である。
【００３３】
一般に、天井１０６を照らす間接照明は、コーブ照明として知られている。かかるコーブ照明では、ユーザに天井１０６を高く感じさせることができるとされている。
【００３４】
また、一般に、壁面１０４を照らす間接照明は、コーニス照明（ウォールウォッシャー照明）として知られている。かかるコーニス照明では、壁面１０４を広く見せることができるとされている。
【００３５】
本実施形態では、光Ｃによりコーブ照明の効果を、光Ｗによりコーニス照明の効果を奏することが可能である。加えて、光Ｃおよび光Ｗを併せることで、従来よりもさらに広い範囲にわたって室内を照らすことが可能である。前面カバー１２６を摺動させることで、光Ｃの光量、および光Ｗの光量を調整することができるので、ユーザが間接照明を調整して所望の室内空間を創り出すことが可能である。
【００３６】
（間接照明システム）
図３は、本実施形態にかかる間接照明システム２００を示す図である。図３（ａ）は、間接照明システム２００の例として部屋Ｒの壁面１０４上部に互いに隣接するように上記廻り縁ユニット１００を複数設置した図である。以下、代表して１つの廻り縁ユニット１００に符号を振り説明する。
【００３７】
図３（ａ）に示すように、間接照明システム２００では、隣接する廻り縁ユニット１００同士の接続部１３２ａ、１３２ｂを電気的に接続する。これにより、複数の廻り縁ユニット１００内を連通する電気配線が完成する。したがって、廻り縁ユニット１００内にあらためて電気配線を引き回す必要がなく、施工が容易である。
【００３８】
さらに、部屋Ｒのコンセント２０２に隅付電気配線２０４を差し込み、隅付電気配線２０４の接続部２０４ａをコンセント２０２の直近の（直上の）廻り縁ユニット１００の一方の接続部１３２ａに連結し、電力を供給する。廻り縁ユニット１００は壁の全幅に亘って配置されており、かつ一般にコンセント２０２は壁の端や柱の脇に配置されているものであるから、隅付電気配線２０４は、部屋Ｒの隅に沿って上下方向に敷設される。そのため、壁の中を通さずとも目立たせずに配線することが可能である。
【００３９】
上記間接照明システム２００によれば、部屋Ｒに廻り縁ユニット１００を取り付けるのみで、壁面１０４の裏や天井１０６の裏の工事を一切行うことなく、容易に間接照明を導入することができる。廻り縁ユニット１００が部屋Ｒの周囲に備えられることから、天井１０６の中央に照明が不要となり、天井１０６の低い住宅においても全体の連続性や広がり感を強調することができる。そのため、特に天井１０６の高さが２１００ｍｍ〜２３００ｍｍに設定されている公団住宅（ＵＲ住宅）のリフォーム等に好適である。
【００４０】
図３（ｂ）は、図３（ａ）に装飾用の連結用ユニットとして機能する廻り縁ユニット１０２も含めて設置した図である。以下、代表して装飾用の連結用ユニットとして機能する１つの廻り縁ユニット１０２に符号を振り説明する。
【００４１】
廻り縁ユニット１０２は、照明ユニット１３０を有さない点で廻り縁ユニット１００と異なる。部屋Ｒの広さと光源の強さの関係によっては、全ての廻り縁ユニット１００を光らせる必要がない場合がある。このようなときは図３（ｂ）に示すように、光源が不要な位置には、内部に電気配線１３２のみを有する廻り縁ユニット１０２を配置することで足りる。これにより、設備コストの低減を図ることができる。
【００４２】
なお、現在は光源が不要であっても将来的に光源を追加する可能性があるのであれば、照明ユニット１３０を備えた廻り縁ユニット１００を配置しておいて、蛍光ランプ１３８を抜いておけばよい。これにより、必要に応じて光量を増加させることが可能となる。
【００４３】
図４は、照明ユニット１３０について説明する図である。図４（ａ）は、上記した廻り縁ユニット１００の照明ユニット１３０であって、安定器１３４と、蛍光ランプ１３８を着脱可能なソケット１３６とを含んで構成されている。蛍光ランプ１３８は白熱電球３３２に比較すれば長寿命、省電力という利点がある。
【００４４】
図４（ｂ）はＬＥＤユニット２３２を用いた照明ユニット２３０であって、複数のＬＥＤ球２３４を配列して構成されている。ＬＥＤ球２３４は蛍光ランプ１３８よりさらに長寿命、低消費電力であるという利点を有している。
【００４５】
図４（ｃ）は白熱電球３３２と、これを着脱可能なソケット３３４から構成されている。白熱電球３３２は、色合いがやわらかであるため好む人も多く、住宅用の照明器具としては好適である。図４（ｃ）では白熱電球３３２を３つ配列して示しているが、１つであってもよく、さらに多数であっても良い。
【００４６】
（摺動機構）
図５は、図２の摺動機構１４０ａについて示す図である。図５（ａ）は摺動機構１４０ａの上面図であり、図５（ｂ）は図５（ａ）のＡ−Ａ断面図である。図５（ａ）および（ｂ）に示すように、ここでは摺動機構１４０ａとして、前面カバー１２６の側部に板ばね１４２ａが接続され、板ばね１４２ａの先端に摩擦抵抗材１４４（例えば、ゴム製のブレーキシュー）が備えられる。
【００４７】
上記板ばね１４２ａによって摩擦抵抗材１４４は、レール状に溝切りされた柱部材１２４ａに押し当てられる。そして、摩擦抵抗材１４４と柱部材１２４ａとの当接面に発生する摩擦抵抗により前面カバー１２６が掛止される。板ばね１４２ａを撓ませることで、柱部材１２４ａに形成されたレール状の溝を摺動可能であり、前面カバー１２６の位置を上下方向に変更可能である。
【００４８】
図６〜図９は、摺動機構の他の例（摺動機構１４０ｂ、１４０ｃ、１４０ｄおよび１４０ｅ）について示す図である。以下、廻り縁ユニット１００、１０２に採用し得る種々の摺動機構１４０ｂ、１４０ｃ、１４０ｄ、１４０ｅについて説明する。
【００４９】
図６（ａ）は摺動機構１４０ｂの上面図であり、図６（ｂ）は図６（ａ）のＢ−Ｂ断面図である。図６（ａ）および（ｂ）に示すように、摺動機構１４０ｂでは、前面カバー１２６の側部に板ばね１４２ｂが接続される。そして、板ばね１４２ｂの先端にプーリ（コロ）１５４ａが備えられる。
【００５０】
一方、柱部材１２４ｂは、波状の曲面を有する。かかる波状の曲面に、板ばね１４２ｂによって上記プーリ１５４ａが押し当てられる。これにより、プーリ１５４ａが波状の曲面の凹凸にはまって、前面カバー１２６が掛止される。前面カバー１２６に、掛止力を超えた力を上下方向にかけることにより、板ばね１４２ｂが撓んで、プーリ１５４ａが曲面の凸部を乗り越えて、隣の凹部に掛止される。このようにして、自在に前面カバー１２６を摺動させることができる。
【００５１】
図７（ａ）は摺動機構１４０ｃの上面図であり、図７（ｂ）は摺動機構１４０ｃの斜視図である。図７（ａ）および（ｂ）に示すように、摺動機構１４０ｃでは、前面カバー１２６に閂挿通孔１６２が形成される。また、柱部材１２４ｃに閂支持孔１６４が複数形成される。
【００５２】
これより、前面カバー１２６の閂挿通孔１６２を介し、所望の閂支持孔１６４に閂１６６を差し込むことで、任意の位置（高さ）で前面カバー１２６を掛止することができる。なお、柱部材１２４ｃがレール状に溝切りされていて、かかる溝に前面カバー１２６が嵌め込まれているため、非閂差込時における前面カバー１２６の落下が防止されている。
【００５３】
図８（ａ）は摺動機構１４０ｄの側断面図であり、図８（ｂ）は摺動機構１４０ｄの斜視図である。図８（ａ）および（ｂ）に示すように、摺動機構１４０ｄでは、前面カバー１２６の側部上方にプーリ１５４ｂが備えられ、背面下方に鉤状引掛具１７２が固定される。柱部材１２４ｄは、プーリ１５４ｂが摺動可能なようにレール状に溝切りされる。また、柱部材１２４ｄには、鉤状引掛具１７２を引掛可能な引掛孔１７４が上下方向に複数配列して形成される。
【００５４】
これより、所望の位置の引掛孔１７４に鉤状引掛具１７２を引っ掛けることで、任意の位置（高さ）で前面カバー１２６を掛止することができる。前面カバー１２６の下辺を少し持ち上げて手前に出すことによってこの掛止を解くことができ、この状態でプーリ１５４ｂの案内に基づき前面カバー１２６を上下方向に摺動させることが可能である。
【００５５】
次に、図９を参照しながら摺動機構１４０ｅについて詳述する。摺動機構１４０ｅでは、天井１０６に張り付けられた反射パネル１１０に滑車１８６ａ、１８６ｂが留められる。そして、これらの滑車１８６ａ、１８６ｂにより案内されるワイヤ１８２が、その一端で前面カバー１２６を吊下する。ワイヤ１８２の他端には、前面カバー１２６とつりあう重し部材１８４が連結される。
【００５６】
これにより、前面カバー１２６の重量は重し部材１８４の重量によって相殺されるため、前面カバー１２６を任意の位置で停止させることができる。なお前面カバー１２６の位置を安定させるために、ワイヤ１８２に若干の摺動抵抗を与えることが好ましい。
【００５７】
以上、添付図面を参照しながら本発明の好適な実施形態について説明した。本実施形態によれば、既設住宅であっても間接照明を容易に導入することができる。特に、間接照明を廻り縁と一体化した廻り縁ユニット１００、１０２として導入することで、意匠性の高い室内空間を形成することができる。
【００５８】
なお、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５９】
本発明は、部屋の壁面上部に備えられる廻り縁ユニット、およびこれを利用した間接照明システムとして利用することができる。
【符号の説明】
【００６０】
１００、１０２…廻り縁ユニット、１０４…壁面、１０６…天井、１１０…反射パネル、１２２…梁部材、１２４ａ〜１２４ｅ…柱部材、１２６…前面カバー、１２８…底板、１２８ａ…廃熱スリット、１３０、２３０、３３０…照明ユニット、１３２…電気配線、１３２ａ、１３２ｂ…接続部、１３４…安定器、１３６…ソケット、１３８…蛍光ランプ、１４０ａ〜１４０ｅ…摺動機構、１４２ａ、１４２ｂ…板ばね、１４４…摩擦抵抗材、１５４ａ、１５４ｂ…プーリ、１６２…閂挿通孔、１６４…閂支持孔、１６６…閂、１７２…鉤状引掛具、１７４…引掛孔、１８２…ワイヤ、１８４…重し部材、１８６ａ、１８６ｂ…滑車、２００…間接照明システム、２０２…コンセント、２０４…隅付電気配線、２０４ａ…接続部、２３４…ＬＥＤユニット、２３６…ＬＥＤ球、３３２…白熱電球、３３４…ソケット
【図１】
2011210594.tif 000003
【図２】
2011210594.tif 000004
【図３】
2011210594.tif 000005
【図４】
2011210594.tif 000006
【図５】
2011210594.tif 000007
【図６】
2011210594.tif 000008
【図７】
2011210594.tif 000009
【図８】
2011210594.tif 000010
【図９】
2011210594.tif 000011